【手続補正書】
【提出日】平成18年7月28日(2006.7.28)
【手続補正１】
【補正対象書類名】明細書
【補正対象項目名】特許請求の範囲
【補正方法】変更
【補正の内容】
【特許請求の範囲】
【請求項１】  少なくとも１つのアニソトロピックポリマー材料の層を有する光学リターデーション膜の製造方法であって、
Ａ）連続移動している基板を、少なくとも１つのラビングローラーを用いてラビングし、
Ｂ）この基板のラビングされた表面上に、重合性メソゲン材料、液晶ポリマーまたは液晶オリゴマーの層を塗布し、
Ｃ）任意に、工程Ｂ）の塗布された材料を、熱または活性放射線にさらすことによって、重合および／または架橋させ、
Ｄ）任意に、工程Ｂ）およびＣ）を、少なくとももう一回反復し、次いで
Ｅ）任意に、ポリマーフィルムを上記基板から剥離する、
工程を包含する方法。
【請求項２】  工程Ａ）における基板のラビングを、その少なくとも１つが基板に対するラビング処理に向けられる、少なくとも２つのローラー（１１）と（１２）との間を方向（１３；１３*）に向かって基板を連続移動させることによって行い、ここで、
ａ）上記少なくとも２つのローラー（１１）および（１２）は、基板（１０）の対向側上に配置されており、
ｂ）上記少なくとも２つのローラー（１１）および（１２）は、基板（１０）の移動方向（１３；１３*）に対向して回転させ、
ｃ）上記２つのローラー（１１）および（１２）のうちの少なくとも１つの基板（１０）に対するラビング処理に向けられるローラー、例えばローラー（１１）は、その回転軸（１４）と基板の移動方向（１３）とが、０度から９０度よりも小さい範囲内で変えることができる角度θ（ラビング角度）を形成するように配置されており、
ｄ）上記２つのローラー（１１）および（１２）のうちの少なくとも１つの基板（１０）に対するラビング処理に向けられるローラー、例えばローラー（１１）は、基板が０度から少なくとも２７０度までの範囲内で変えることができる巻付け角度φ（ただし、この巻付け角度φは、移動する基板（１０）と接触しているローラーの横断面の円形切片の角度であると定義される）をもって、当該ローラーの周囲に少なくとも部分的に巻付けられるように配置されている、
ことを特徴とする、請求項１に記載の方法。
【請求項３】  巻付け角度φが、０度よりも大きく１８０度までであることを特徴とする、請求項２に記載の方法。
【請求項４】  ラビング角度θが、０度よりも大きく６０度までであることを特徴とする、請求項２および３のいずれか一項に記載の方法。
【請求項５】  少なくとも２つのローラー（１１）および（１２）のうちの少なくとも１つの基板に対するラビング処理に向けられるローラーを、ラビング布で覆うことを特徴とする、請求項２〜４のいずれか一項に記載の方法。
【請求項６】  少なくとも１つの重合性基を有する少なくとも１種の重合性メソゲン化合物を含有する重合性メソゲン材料の層を、基板に塗布することを特徴とする、請求項１〜５のいずれか一項に記載の方法。
【請求項７】  請求項１〜６のいずれか一項に記載の方法によって得られる光学リターデーション膜。
【請求項８】  層平面に対して実質的に平行である主光学軸を有する少なくとも１つのアニソトロピックポリマーの層を備えていることを特徴とする、請求項７に記載の光学リターデーション膜。
【請求項９】  光学リターデーション膜が、その層平面に対して０〜９０度の角度αO のチルト角で主光学軸を有する少なくとも１つのアニソトロピックポリマーの層を備えていることを特徴とする、請求項７および８のいずれか一項に記載の光学リターデーション膜。
【請求項１０】  主光学軸が、膜の長辺に対して０〜９０度の角度θLCで傾斜していることを特徴とする、請求項７〜９のいずれか一項に記載の光学リターデーション膜。
【請求項１１】  液晶セルおよび少なくとも１つの請求項７〜１０のいずれか一項に記載の光学リターデーション膜を備えた液晶表示デバイス。
【請求項１２】  基板（１０）のラビング装置であって、その少なくとも１つが基板（１０）に対するラビング処理に向けられる、少なくとも２つのローラー（１１）および（１２）および任意に、１つまたは２つ以上のガイドローラー（１６；１７）を備えており、上記基板（１０）が、上記少なくとも２つのローラー（１１、１２）の間の方向（１３；１３*）を連続移動される装置において、
ａ）上記少なくとも２つのローラー（１１）および（１２）は、基板（１０）の対向側に配置されており、
ｂ）上記少なくとも２つのローラー（１１）および（１２）は、基板（１０）の移動方向（１３；１３*）に対向して回転するものであり、
ｃ）上記２つのローラー（１１）および（１２）のうちの少なくとも１つの基板に対するラビング処理に向けられるローラー、例えばローラー（１１）は、その回転軸（１４）と基板の移動方向（１３）とが、０度から９０度よりも小さい範囲内で変えることができる角度θ（ラビング角度）を形成するように配置されており、
ｄ）上記２つのローラー（１１）および（１２）のうちの少なくとも１つの基板に対するラビング処置に向けられるローラー、例えばローラー（１１）は、基板が０度から少なくとも２７０度までの範囲内で変えることができる巻付け角度φ（ただし、この巻付け角度φは、移動する基板（１０）と接触しているローラーの横断面の円形切片の角度であると定義される）をもって、当該ローラーの周囲に少なくとも部分的に巻付けられるように配置されている、
ことを特徴とするラビング装置。
【請求項１３】  少なくとも２つのローラー（１１）および（１２）の回転軸（１４；１５）が、少なくとも１つの結合素子（２２）により連結されており、ここでローラー（１１；１２）は、それらの回転軸（１４；１５）に対して平行である軸（２３）の周囲を回転することができるものであることを特徴とする、請求項１２に記載の装置。
【請求項１４】  少なくとも２つのローラー（１１）および（１２）が、１つまたは２つ以上のモーターおよび任意に、ローラー（１１；１２）に対して等しい絶対値で、反対方向の回転速度を与えるギアーをさらに包含する駆動手段（２６）をさらに備えている回転可能な装置（２５）を形成しており、この装置（２５）は、ローラー（１６）および（１７）により定められる平面に対して垂直である軸（２７）の周囲およびローラー（１１；１２）の回転軸（１４；１５）に対して平行である軸（２８）の周囲で回転可能であることを特徴とする、請求項１２または１３のいずれか一項に記載の装置。
【請求項１５】  １つまたは２つ以上の減圧床（３０；３１）をさらに備えており、ラビングの前または後に、この床上で基板を移動させることを特徴とする、請求項１２〜１４のいずれか一項に記載の装置。
【請求項１６】  基板（１０）に対するラビング処理に向けられる少なくとも３つのローラー（１１；１２；３２）を備えており、これらのローラーの少なくとも２つが、基板（１０）の対向側に配置されていることを特徴とする、請求項１２〜１５のいずれか一項に記載の装置。
【手続補正２】
【補正対象書類名】明細書
【補正対象項目名】００２０
【補正方法】変更
【補正の内容】
【００２０】
基板がラビングローラーの周囲に巻付けられる程度は、巻付け角度φにより表わされる。これは、図１Ｂに例示されており、この図において、巻付け角度φは、ラビングローラー１１が基板１０と接触する接面位置１８および１９における２つの半径によって形成される角度である。
例えば、０度の巻付け角度は、基板が、その方向を変えることなく、ラビングローラー１１を横切って移動することを意味し、他方例えば、１８０度の巻付け角度は、基板が、ラビングローラー１１を横切って移動する際に、Ｕ−ターンされることを意味する。
図１Ｂに示されているような第一の好適態様において、この巻付け角度φおよびこれによるラビング長さは、例えばラビングローラー１１の回転軸１４および／または補償ローラー１２の回転軸１５を、それぞれ矢印で示されているように、垂直方向２０および／または水平方向２１で、一方向の運動に変えることによって、容易に変えることができる。
【手続補正３】
【補正対象書類名】明細書
【補正対象項目名】００３６
【補正方法】変更
【補正の内容】
【００３６】
本発明のもう一つの目的は、基板１０に対するラビング処理に向けられる、少なくとも３つのローラー１１；１２；３２を備えており、これらのうちの少なくとも２つが、基板１０の対向面上に位置している、上記装置にある。
基板としては、この目的に当業者に公知である全部の可撓性薄膜基板を使用することができる。好ましくは、この基板は、軟質プラスティックフィルム、例えばポリエチレンテレフタレート（ＰＥＴ）、ポリビニルアルコール（ＰＶＡ）、ポリカーボネート（ＰＣ）またはトリアセチルセルロース（ＴＡＣ）のフィルムであり、特に好ましくは、ＰＥＴまたはＴＡＣのフィルムである。ＰＥＴフィルムは、例えばＩＣＩ  Ｃｏｒｐ．からメリネックス（Ｍｅｌｉｎｅｘ）の登録商品名で市販されている。しかしながら、上記フィルム材料の例は説明のためのみのものであって、本発明を制限するものではない。